【事件の表示】
　特願２０１４−５２９６７８「パスワード明示セレクタ」拒絶査定不服審判事件〔平成２５年　３月２１日国際公開、ＷＯ２０１３／０３９５２４、平成２６年１０月　６日国内公表、特表２０１４−５２６７３０、請求項の数（７）〕について、次のとおり審決する。
【結　論】
　原査定を取り消す。
　本願の発明は、特許すべきものとする。
【理　由】
第１　手続の経緯
　本願は，２０１１年１０月１０日（パリ条約による優先権主張外国庁受理２０１１年９月１２日，米国）を国際出願日とする出願であって，平成２７年８月３１日付けで拒絶理由通知がされ，平成２７年１２月７日付けで手続補正がされ，平成２８年５月２７日付けで拒絶査定（原査定）がされ，これに対し，平成２８年８月９日に拒絶査定不服審判の請求がされると同時に手続補正がされ，平成２９年６月２３日付けで拒絶理由通知（以下，「当審拒絶理由通知」という。）がされ，平成２９年９月２２日付けで手続補正がされたものである。
第２　原査定の概要
　原査定（平成２８年５月２７日付け拒絶査定）の概要は次のとおりである。
　本願請求項１−４，６−７に係る発明は，以下の引用文献Ａ−Ｃに基づいて，その発明の属する技術の分野における通常の知識を有する者（以下，「当業者」という。）が容易に発明できたものであるから，特許法第２９条第２項の規定により特許を受けることができない。
引用文献等一覧
Ａ．特開２００７−１７２３８５号公報
Ｂ．特表２００２−５３６７６２号公報
Ｃ．米国特許第６７４７６７６号明細書
第３　当審拒絶理由の概要
　当審拒絶理由の概要は次のとおりである。
［理由１］
　本願請求項１，４−７に係る発明は，以下の引用文献１−２に基づいて，当業者が容易に発明できたものであるから，特許法第２９条第２項の規定により特許を受けることができない。
引用文献等一覧
１．特開２００７−１７２３８５号公報（拒絶査定時の引用文献Ａ）
２．米国特許第６７４７６７６号明細書（拒絶査定時の引用文献Ｃ）
［理由２］
　請求項１，６，及び７に係る発明は，「セレクタ表示条件」が具体的にどのような条件であるのかが特定されていないため，どのような条件にしたがって，パスワード明示セレクタを表示するのかが不明確であり，特許法第３６条第６項第２号に規定する要件を満たしていない。 
  
第４　本願発明
　本願請求項１−７に係る発明（以下，それぞれ「本願発明１」−「本願発明７」という。）は，平成２９年９月２２日付けの手続補正で補正された特許請求の範囲の請求項１−７に記載された事項により特定される発明であり，本願発明１−７は以下のとおりの発明である。
「　　【請求項１】
　コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと，
　前記パスワード入力ボックスにおいてパスワード文字を受領手段を介して受領するステップであって，前記パスワード文字が前記パスワード入力ボックスに表示されるときに難読化される，ステップと，
　セレクタ表示条件にしたがって前記パスワード明示セレクタを前記表示手段を介して表示するステップであって，前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する，ステップと，
　前記パスワード明示セレクタのユーザ選択を前記受領手段を介して受領するステップと，
　前記パスワード明示セレクタの前記ユーザ選択が受領されている限り前記パスワード入力ボックスにおいてパスワードを明示するステップと，
　を備える方法。
　　【請求項２】
　　コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと，
　前記パスワード入力ボックスにおいてパスワード文字を受領手段を介して受領するステップであって，前記パスワード文字が前記パスワード入力ボックスに表示されるときに難読化される，ステップと，
　セレクタ表示条件にしたがって前記パスワード明示セレクタを前記表示手段を介して表示するステップであって，前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する，ステップと，
　前記パスワード明示セレクタのユーザ選択を前記受領手段を介して受領するステップと，
　前記パスワード明示セレクタの前記ユーザ選択が受領されている限り前記パスワード入力ボックスにおいてパスワードを明示するステップと，
　を備える方法。
　　【請求項３】
　前記パスワード明示セレクタのユーザ選択を受領したとき，前記パスワード入力ボックスにおいてパスワードを明示することがあるタイミング遅延後に行なわれる，請求項１または２に記載の方法。
　　【請求項４】
　パスワードが前記タイミング遅延後に明示されることを示すメッセージを表示するステップを更に備える，請求項３に記載の方法。
　　【請求項５】
　コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと，
　前記パスワード入力ボックスにおいてパスワード文字を受領手段を介して受領するステップであって，前記パスワード文字が前記パスワード入力ボックスに表示されるときに難読化される，ステップと，
　セレクタ表示条件にしたがって前記パスワード明示セレクタを前記表示手段を介して表示するステップであって，前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する，ステップと，
　前記パスワード明示セレクタのユーザ選択を前記受領手段を介して受領するステップと，
　前記パスワード明示セレクタの前記ユーザ選択が受領された後にある所定の時間にわたって前記パスワード入力ボックスにおいてパスワードを明示するステップと，
　を更に備える，方法。
　　【請求項６】
　コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと，
　前記パスワード入力ボックスにおいてパスワード文字を受領手段を介して受領するステップであって，前記パスワード文字が前記パスワード入力ボックスに表示されるときに難読化される，ステップと，
　セレクタ表示条件にしたがって前記パスワード明示セレクタを前記表示手段を介して表示するステップであって，前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する，ステップと，
　前記パスワード明示セレクタのユーザ選択を前記受領手段を介して受領するステップと，
　前記パスワード明示セレクタの前記ユーザ選択が受領された後にある所定の時間にわたって前記パスワード入力ボックスにおいてパスワードを明示するステップと，
　を更に備える，方法。
　　【請求項７】
　パスワードのパスワード文字の入力用に構成されたパスワード入力ボックスを表示するように構成される表示デバイスと，
　テキストボックス制御モジュールを実施するための少なくともメモリおよびプロセッサとを備えるコンピューティングデバイスであって，前記テキストボックス制御モジュールは，
　前記パスワード入力ボックスに入力されたパスワードを明示することをユーザが選択するように構成されるパスワード明示セレクタを含む前記パスワード入力ボックスをインスタンス化するように構成され，前記パスワード明示セレクタは，前記パスワード入力ボックスが表示されるときに最初は視野から隠され，
　前記テキストボックス制御モジュールはさらに，
　セレクタ表示条件にしたがって前記パスワード明示セレクタの表示を開始し，
　前記パスワード明示セレクタのユーザ選択を受領し，
　前記パスワード明示セレクタの前記ユーザ選択が受領されている限り前記パスワード入力ボックスにおいてパスワードを明示するように構成され，
　前記セレクタ表示条件は，前記パスワード入力ボックスが受領するよう実装されている前記パスワード文字の最大数を示すパラメータに基づき，
　前記テキストボックス制御モジュールは，前記パラメータが少なくともある最小数であれば，前記パスワード文字のうちの少なくとも１つが受領されるときに前記パスワード明示セレクタを表示するよう構成されている，
　コンピューティングデバイス。」
第５　引用文献，引用発明等
１．引用文献１について
　平成２９年６月２３日付けの拒絶の理由に引用された引用文献１には，図面とともに次の事項が記載されている。
Ａ　「【００１３】
  ３０は，各種の操作を行うための操作ボタンや数字を表す画像を表示するとともに，その画像の表示された領域が接触されたことを検知することによって，各種操作指示や複数の数字の組み合わせからなる暗証番号の入力を受け付けるタッチパネルである。
  図２は，タッチパネル３０の表示部に表示される画面の一例を示す図である。同図は暗証番号入力画面の一例であり，複数の数字の組み合わせからなる暗証番号を操作者が入力できるようになっている。図２に示すように，タッチパネル３０の表示領域は，メッセージ表示領域３１と，操作ボタン表示領域３２とに分けられている。メッセージ表示領域３
１には，操作者に操作を促すメッセージや処理状況を示す情報等が表示される。操作ボタン表示領域３２には，複数の文字（「０」から「９」）を表す画像（以下，数字キーとする）Ｂ０〜Ｂ９や，ＯＫボタンＢ１１，キャンセルボタンＢ１２など，操作者が各種操作を行うための操作ボタンが，予め定められた配色（例えば，白黒等）で表示される。操作者は，この操作ボタン表示領域３２に表示される操作ボタンに触れることで各種操作を行うことができるようになっている。操作者がタッチパネル３０の操作ボタン表示領域３２に触れると，タッチパネル３０は接触されたことを検知し，接触された操作ボタンに対応する操作指示や文字（暗証番号）の入力を受け付ける。具体的には，タッチパネル３０は，操作ボタン表示領域３２が接触されると，接触座標の位置状態により変化する電圧を，Ａ／Ｄ変換部１２を介してＣＰＵ１１に座標として入力する。ＣＰＵ１１は，入力された座標に応じて接触された操作ボタンを特定する。」
Ｂ　「【００２１】
  図３は，表示装置１のＣＰＵ１１が行う処理の流れを示すフローチャートである。ＣＰＵ１１は，暗証番号の入力画面を表示する旨の指示情報が入力されたことを検知すると，タッチパネル３０を制御して，図２に例示するような，暗証番号の入力を促す画面をタッチパネル３０に表示させる（ステップＳＡ１）。
【００２２】
  このとき，操作者は，タッチパネル３０の操作ボタン表示領域３２に表示された数字キーＢ０〜Ｂ９，または操作部４０のテンキー４２を押圧することによって，暗証番号を入力することができる。なお，このとき，ＣＰＵ１１は，図２に例示するように，入力された文字を，認識不可能な文字（例えば，「＊（アスタリスク）」等）で表示するようにしてもよい。
  暗証番号の入力を終えると，操作者は，操作ボタン表示領域３２に表示されたＯＫボタンＢ１１を押圧する。
【００２３】
  ＯＫボタンＢ１１が押圧されたことを検知すると，表示装置１のＣＰＵ１１は，入力された暗証番号を入力された順番に記憶部２０のＲＡＭ等に記憶する。そして，ＣＰＵ１１は，入力された暗証番号を表示するか否かを選択する画面を表示する。
  図４は，タッチパネル３０に表示される画面の一例を示す図である。図４に示す画面において，操作者は，自身が入力した暗証番号を確認したい場合には，ボタンＢ１５を押圧し，逆に，確認しない場合にはボタンＢ１６を押圧する。
【００２４】
  ボタンＢ１５が押圧されたことを検知した場合，すなわち入力された暗証番号を表示すると選択された場合は（ステップＳＡ２；ＹＥＳ），表示装置１のＣＰＵ１１は，表示速度を指定するか否かを選択するための画面を表示する。表示速度を指定すると選択された場合は（ステップＳＡ３；ＹＥＳ），ＣＰＵ１１は，暗証番号の表示速度を設定する（ステップＳＡ３１）。これは，例えば，「入力スピードと同じスピードで表示」，「ゆっくり表示」，「速く表示」等の表示速度を指定するための複数の操作ボタンをタッチパネル３０に表示し，操作者にいずれかを選択させるようにする。または，数字キーＢ０〜Ｂ９またはテンキー４２を操作することによって暗証番号の表示速度を操作者が入力するようにしてもよい。
  表示速度を指定しない旨が選択された場合は（ステップＳＡ３；ＮＯ），表示装置１のＣＰＵ１１は，予め定められた表示速度を用いて，ステップＳＡ４に示す暗証番号の表示処理を実行する。」
　したがって，上記引用文献１には次の発明（以下，「引用発明」という。）が記載されていると認められる。
「表示装置１のＣＰＵ１１が行う方法であって，
　メッセージ表示領域３１と操作ボタン表示領域３２からなる画面を暗証番号の入力を促すためにタッチパネル３０に表示し，
　タッチパネル３０の操作ボタン表示領域３２に表示された数字キーＢ０〜Ｂ９によって暗証番号を入力させ，入力された文字を，認識不可能な文字，例えば，「＊（アスタリスク）」等で表示し，
　暗証番号の入力を終えた操作者が，操作ボタン表示領域３２に表示されたＯＫボタンＢ１１を押圧すると，操作ボタン表示領域３２に，操作者が入力した暗証番号を確認するためのボタンＢ１５を表示し，
　ボタンＢ１５が押圧されたことを検知すると，暗証番号の表示処理を実行する
　方法。」 
２．引用文献２について
　平成２９年６月２３日付けの拒絶の理由に引用された引用文献２には，図面とともに次の事項が記載されている。
Ｃ　「Referring to  FIG. 2 , there is shown an illustrative flow diagram of a password access program  30 .  FIG. 2  is described with reference to  FIG. 1  as is necessary. At event  22 , cursor object  19  is positioned in near proximity or over interface object  20  or field  18 . For clarity of explanation, it will be assumed that cursor object  19  is positioned over password field  18  using a mouse  15 . However, it will be apparent to those of ordinary skill that other embodiments disclosed herein may be used. 
　In response to positioning cursor object  19  over password field  18 , computer  10  begins timing using a clock (not shown) of processor  11 . At step  23 , if cursor object  19  has not been positioned over password field  18  for a sufficient time, then program  30  exits at step  38 . However, at step  23 , if cursor object  19  is positioned over password field  18  for a sufficient time, illustratively approximately one or two seconds, then program  30  proceeds to step  24 . 
　At step  24 , it is determined whether a portion of password  17  greater than one character is to be displayed at some instant of time. Accordingly, it should be understood that whether one, two, three, four, or more characters are displayed in an unmasked form at a time may be a function of level of security. For example, a more secure site may only allow a single character to be displayed in an undisguised form at a time in comparison to a site allowing more than a single character to be displayed. Such a portion may be two or more characters, and may be the entire password  17 . If more than one character is to be undisguised for display, then program  30  proceeds to a pre-password check  25 A, which is described in more detail with reference to FIG.  3 . Examples of displaying an entire password  17  or a portion thereof are illustratively shown in  FIGS. 4A and 4C , respectively. 
　In  FIG. 4A , a floating password field  18 F is shown for providing password in an undisguised form, namely undisguised password  17 U as compared to disguised password  17 D. A ruler  99  may be employed to aid a user in determining character position. 
　In  FIG. 4C , a five-character portion of password  17  is shown. Notably, a starting location of such a portion is determined by relative position of cursor object  19  to a character of password  17 . 
　If a portion of password  17  equal to or greater than two characters is not to be displayed, then program  30  proceeds from step  24  to step  31 . Accordingly, it should be understood that a portion of password  17  greater than two characters may be accessed for display in a unmasked form; however, for purposes of clarity of explanation, it will be assumed that all of password  17  is to be displayed with respect to subroutine  97 . Moreover, it should be understood that display of all characters of password  17  in an undisguised form may be limited in time, for example to approximately 5 to 60 seconds. It should be further understood if cursor object  19  is move away from being over password field  18 , then all characters of password  17  are re-displayed in a disguised form. 」（第３欄４５行−第４欄２３行）
（当審仮訳：図２を参照すると，パスワードアクセスプログラム３０を説明するフローチャートが示されている。必要に応じて，図２は図１を参照して記述される。イベント２２で，カーソルオブジェクト１９は，インタフェース・オブジェクト２０あるいはフィールド１８の近く又は上に置かれる。説明の明快さのために，カーソルオブジェクト１９はマウス１５を使ってパスワードフィールド１８の上に置かれると想定される。しかしながら，ここに明らかにされた他の実施形態が使われるかもしれないことは当業者には明らかであろう。
　パスワードフィールド１８上に配置されたカーソルオブジェクト１９に応えて，コンピュータ１０はプロセッサ１１の（示されていない）クロックを使ったタイミングを開始する。ステップ２３において，もしカーソルオブジェクト１９が十分な時間パスワードフィールド１８の上に置かれなかったなら，プログラム３０は，ステップ３８において終了する。しかしながら，ステップ２３において，もしカーソルオブジェクト１９が，十分な時間，実例としておよそ１秒あるいは２秒，パスワードフィールド１８の上に置かれるなら，プログラム３０はステップ２４に進む。
　ステップ２４において，１文字以上のパスワード１７の部分が，ある瞬間において表示されるべきであるかどうかが決定される。したがって，一度に，１，２，３，４，あるいはそれ以上の文字が，マスクを解除された形式で表示されるかどうかは，セキュリティレベルの関数であろうことは理解されるべきである。例えば，よりセキュアなサイトは，１文字以上が表示されることを許容しているサイトと比較して，一度に，ただ１文字だけあからさまな形式で表示されることを許容するかもしれない。そのような部分は，２文字かそれ以上の文字かもしれないし，あるいは，パスワード１７全体であるかもしれない。もし１文字以上が表示のためにあからさまであるなら，プログラム３０は事前パスワードチェック２５Ａに進み，そしてそれは図３を参照してより詳細に記述される。パスワード１７全体あるいはその部分を表示する例はそれぞれ図４Ａと図４Ｃに例示されている。
　図４Ａに，あからさまな形式で，すなわち，隠されたパスワード１７Ｄと比較してあからさまなパスワード１７Ｕでパスワードを提供するためのフローティングパスワードフィールド１８Ｆが示される。ルーラー９９は，ユーザーが文字位置を決定するのを手伝うために使われるかもしれない。
　図４Ｃでは，パスワード１７の５文字の部分が表示される。注目すべきことに，このような部分のスタート位置は，パスワード１７の文字へのカーソルオブジェクト１９の相対位置によって決定される。
　もし，２文字あるいはそれ以上のパスワード１７の１部が表示されるべきでない場合には，プログラム３０は，ステップ２４からステップ３１へ進む。したがって，２文字より大きいパスワード１７の１部は，マスクを解除されたフォームで表示されてアクセスされるかもしれないことは理解されるべきである；しかしながら，説明の明快さの目的で，パスワード１７のすべてがサブルーチン９７に関して表示されるはずであると想定されるであろう。さらに，パスワード１７のすべての文字のあからさまな形式での表示が，例えばおよそ５秒から６０秒に限定されているかもしれないことは理解されるべきである。もしカーソルオブジェクト１９が，パスワードフィールド１８上から離れると，パスワード１７のすべての文字は隠された形式で再度表示されることは，さらに理解されるべきである。）
第６　対比・判断
１．理由１について
（１）本願発明１について
ア　対比
　本願発明１と引用発明とを対比すると，次のことがいえる。
　引用発明の「表示装置１」は，ＣＰＵ１１を含んでおり，コンピューティング装置であるといえるから，本願発明１の「コンピューティングデバイス」に相当し，引用発明の「ＣＰＵ１１」は本願発明１の「制御モジュール」に相当するので，引用発明と本願発明１とは，「コンピューティングデバイスの制御モジュールが実行する方法」である点で一致し，
　引用発明の「暗証番号」は本願発明１の「パスワード」の概念に包含される概念であり，引用発明の「メッセージ表示領域３１と操作ボタン表示領域３２からなる画面」は，暗証番号の入力を促すために表示されるものであって，暗証番号を入力することができるものであるから，本願発明１の「パスワードのパスワード文字の入力用に構成されたパスワード入力ボックス」に相当するといえるので，引用発明と本願発明１とは，「パスワードのパスワード文字の入力用に構成されたパスワード入力ボックスを表示手段を介して表示する」点で一致し， 
　引用発明の「操作者が入力した暗証番号を確認するためのボタンＢ１５」は，本願発明１の「パスワードを明示することをユーザが選択するためのパスワード明示セレクタ」に相当し，当該「ボタンＢ１５」は，「メッセージ表示領域３１と操作ボタン表示領域３２からなる画面」（パスワード入力ボックス）内の「操作ボタン表示領域３２」に表示されるものであるから，引用発明と本願発明１とは，「パスワード入力ボックスは，パスワードを明示することをユーザが選択するためのパスワード明示セレクタを含」む点で一致し，
　引用発明の「ボタンＢ１５」は，「暗証番号の入力を終えた操作者が，操作ボタン表示領域３２に表示されたＯＫボタンＢ１１を押圧すると，操作ボタン表示領域３２に」，「表示」されるものであり，言い換えれば，暗証番号を入力している間，つまり，「最初」は，表示されないものであるから，引用発明と本願発明１とは，「前記パスワード明示セレクタは，前記パスワード入力ボックスが表示されるときに最初は視野から隠される」点で一致し， 
　引用発明は，「タッチパネル３０の操作ボタン表示領域３２に表示された数字キーＢ０〜Ｂ９によって暗証番号を入力させ，入力された文字を，認識不可能な文字，例えば，「＊（アスタリスク）」等で表示」するものであるから，引用発明と本願発明１とは，「前記パスワード入力ボックスにおいてパスワード文字を受領手段を介して受領」し，「前記パスワード文字が前記パスワード入力ボックスに表示されるときに難読化される」点で一致し， 
　引用発明は，「操作ボタン表示領域３２に表示されたＯＫボタンＢ１１を押圧すると，操作ボタン表示領域３２に，操作者が入力した暗証番号を確認するためのボタンＢ１５を表示」するものであり，「操作ボタン表示領域３２に表示されたＯＫボタンＢ１１を押圧する」ことは，本願発明１の「セレクタ表示条件」に相当するといえるので，引用発明と本願発明１とは，「セレクタ表示条件にしたがって前記パスワード明示セレクタを前記表示手段を介して表示する」点で一致し， 
　引用発明は，「操作者が入力した暗証番号を確認するためのボタンＢ１５を表示し，ボタンＢ１５が押圧されたことを検知する」ものであるから，引用発明と本願発明１とは，「前記パスワード明示セレクタのユーザ選択を前記受領手段を介して受領する」点で一致し， 
　引用発明は，「ボタンＢ１５が押圧されたことを検知すると，暗証番号の表示処理を実行する」ものであるので，引用発明と本願発明１とは，後記する点で相違するものの，「前記パスワード明示セレクタの前記ユーザ選択が受領されると，前記パスワード入力ボックスにおいてパスワードを明示する」点で共通する。
　したがって，本願発明１と引用発明との間には，次の一致点，相違点があるといえる。
  
［一致点］
「コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと， 
　前記パスワード入力ボックスにおいてパスワード文字を受領手段を介して受領するステップであって，前記パスワード文字が前記パスワード入力ボックスに表示されるときに難読化される，ステップと， 
　セレクタ表示条件にしたがって前記パスワード明示セレクタを前記表示手段を介して表示するステップと， 
　前記パスワード明示セレクタのユーザ選択を前記受領手段を介して受領するステップと， 
　前記パスワード明示セレクタの前記ユーザ選択が受領されると前記パスワード入力ボックスにおいてパスワードを明示するステップと， 
　を備える方法。」 
  
［相違点１］ 
　本願発明１では，「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」のに対して，引用発明は，そのようになっていない点。
  
［相違点２］ 
　本願発明１では，パスワード明示セレクタのユーザ選択が「受領されている限り」，パスワード入力ボックスにおいてパスワードを明示するのに対して，引用発明は，そのようになっていない点。 
イ　相違点についての判断
　上記相違点１について検討すると，相違点１に係る本願発明１の「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」という構成は，上記引用文献１−２には記載されておらず，本願優先日前において周知技術であるともいえない。
　したがって，他の相違点について判断するまでもなく，本願発明１は，当業者であっても引用発明，引用文献２に記載された技術的事項に基づいて容易に発明できたものであるとはいえない。
（２）本願発明２について
ア　対比
　上記「本願発明１について」の「ア　対比」における検討から，本願発明２と引用発明との間には，次の一致点，相違点があるといえる。
  
［一致点］ 
「コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと， 
　前記パスワード入力ボックスにおいてパスワード文字を受領手段を介して受領するステップであって，前記パスワード文字が前記パスワード入力ボックスに表示されるときに難読化される，ステップと， 
　セレクタ表示条件にしたがって前記パスワード明示セレクタを前記表示手段を介して表示するステップと， 
　前記パスワード明示セレクタのユーザ選択を前記受領手段を介して受領するステップと， 
　前記パスワード明示セレクタの前記ユーザ選択が受領されると前記パスワード入力ボックスにおいてパスワードを明示するステップと， 
　を備える方法。」 
  
［相違点３］
　本願発明２では，「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」のに対して，引用発明は，そのようになっていない点。
  
［相違点４］
　本願発明２では，パスワード明示セレクタのユーザ選択が「受領されている限り」，パスワード入力ボックスにおいてパスワードを明示するのに対して，引用発明は，そのようになっていない点。 
イ　相違点についての判断
　上記相違点３について検討すると，相違点３に係る本願発明２の「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」という構成は，上記引用文献１−２には記載されておらず，本願優先日前において周知技術であるともいえない。
　したがって，他の相違点について判断するまでもなく，本願発明２は，当業者であっても引用発明，引用文献２に記載された技術的事項に基づいて容易に発明できたものであるとはいえない。
（３）本願発明３，４について
　本願発明３，４は，本願発明１又は２を直接又は間接に引用するものであり，本願発明１の「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」，又は，本願発明２の「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」と同一の構成を備えるものであるから，本願発明１又は本願発明２と同じ理由により，当業者であっても，引用発明，引用文献２に記載された技術的事項に基づいて容易に発明できたものとはいえない。
（４）本願発明５について
ア　対比
　上記「本願発明１について」の「ア　対比」における検討から，本願発明５と引用発明との間には，次の一致点，相違点があるといえる。
  
［一致点］ 
「コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと， 
　前記パスワード入力ボックスにおいてパスワード文字を受領手段を介して受領するステップであって，前記パスワード文字が前記パスワード入力ボックスに表示されるときに難読化される，ステップと， 
　セレクタ表示条件にしたがって前記パスワード明示セレクタを前記表示手段を介して表示するステップと， 
　前記パスワード明示セレクタのユーザ選択を前記受領手段を介して受領するステップと， 
　前記パスワード明示セレクタの前記ユーザ選択が受領されると前記パスワード入力ボックスにおいてパスワードを明示するステップと， 
　を備える方法。」 
  
［相違点５］ 
　本願発明５では，「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」のに対して，引用発明は，そのようになっていない点。
［相違点６］
　本願発明５では，パスワード明示セレクタのユーザ選択が「受領された後にある所定の時間にわたって」，パスワード入力ボックスにおいてパスワードを明示するのに対して，引用発明は，そのようになっていない点。 
イ　相違点についての判断
　上記相違点５について検討すると，相違点５に係る本願発明５の「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」という構成は，上記引用文献１−２には記載されておらず，本願優先日前において周知技術であるともいえない。
　したがって，他の相違点について判断するまでもなく，本願発明５は，当業者であっても引用発明，引用文献２に記載された技術的事項に基づいて容易に発明できたものであるとはいえない。
（５）本願発明６について
ア　対比
　上記「本願発明１について」の「ア　対比」における検討から，本願発明６と引用発明との間には，次の一致点，相違点があるといえる。
  
［一致点］ 
「コンピューティングデバイスの制御モジュールが実行する方法であって，
　パスワードのパスワード文字の入力用に構成されたパスワード入力ボックスを表示手段を介して表示するステップであって，前記パスワード入力ボックスは，パスワードを明示することをユーザが選択するためのパスワード明示セレクタを含み，前記パスワード明示セレクタは，前記パスワード入力ボックスが表示されるときに最初は視野から隠される，ステップと， 
　前記パスワード入力ボックスにおいてパスワード文字を受領手段を介して受領するステップであって，前記パスワード文字が前記パスワード入力ボックスに表示されるときに難読化される，ステップと， 
　セレクタ表示条件にしたがって前記パスワード明示セレクタを前記表示手段を介して表示するステップと， 
　前記パスワード明示セレクタのユーザ選択を前記受領手段を介して受領するステップと， 
　前記パスワード明示セレクタの前記ユーザ選択が受領されると前記パスワード入力ボックスにおいてパスワードを明示するステップと， 
　を備える方法。」 
  
［相違点７］ 
　本願発明６では，「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」のに対して，引用発明は，そのようになっていない点。
［相違点８］
　本願発明６では，パスワード明示セレクタのユーザ選択が「受領された後にある所定の時間にわたって」，パスワード入力ボックスにおいてパスワードを明示するのに対して，引用発明は，そのようになっていない点。 
イ　相違点についての判断
　上記相違点７について検討すると，相違点７に係る本願発明６の「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」という構成は，上記引用文献１−２には記載されておらず，本願優先日前において周知技術であるともいえない。
　したがって，他の相違点について判断するまでもなく，本願発明６は，当業者であっても引用発明，引用文献２に記載された技術的事項に基づいて容易に発明できたものであるとはいえない。
（６）本願発明７について
　本願発明７は，本願発明１の「方法」の発明を「コンピューティングデバイス」の発明として記載したものであるから，本願発明１と同じ理由により，当業者であっても，引用発明，引用文献２に記載された技術的事項に基づいて容易に発明できたものとはいえない。
２．理由２について
（１）本願発明１，２，５，６，７について
　当審では，平成２８年８月９日付けの手続補正により補正された特許請求の範囲の請求項１，６，７に対して，「セレクタ表示条件」の意味が不明確であるとの拒絶の理由を通知しているが，平成２９年９月２２日付けの手続補正により，請求項１，５，７は，「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」と補正され，また，請求項２，６は，「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」と補正された結果，この拒絶の理由は解消した。
（２）本願発明３，４について
　本願発明３，４は，本願発明１又は本願発明２を直接又は間接に引用するものであるから，上記（１）と同じ理由により，拒絶の理由は解消した。
第７　原査定についての判断
　平成２９年９月２２日付けの補正により，補正後の請求項１，２，５，６，７は，「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」，又は「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」という技術的事項を有し，また，請求項３，４は，請求項１又は２を直接又は間接に引用するものであるから，実質的に，「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」，又は「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」という技術的事項を内包するものである。
　そして，当該「前記セレクタ表示条件は，前記パスワード入力ボックスが受領するよう実装されている前記パスワード文字の最大数を示すパラメータに基づき，前記パスワード明示セレクタを表示する前記ステップは，前記パラメータが少なくともある最小数であれば，前記パスワード文字のうちの少なくとも１つが受領されるときに前記パスワード明示セレクタを表示する」，又は「前記セレクタ表示条件は，受領されている前記パスワード文字の数に基づき，前記パスワード明示セレクタを表示する前記ステップは，前記パスワード文字のうち少なくともある最小数が受領される場合に前記パスワード明示セレクタを表示する」は，原査定における引用文献Ａ−Ｃ（引用文献Ａ，Ｃは，当審拒絶理由における引用文献１，２に対応）には記載されておらず，本願優先日前における周知技術でもないので，本願発明１−７は，当業者であっても，原査定における引用文献Ａ−Ｃに基づいて容易に発明できたものではない。したがって，原査定を維持することはできない。
第８　むすび
　以上のとおり，原査定の理由によって，本願を拒絶することはできない。
　他に本願を拒絶すべき理由を発見しない。
　よって，結論のとおり審決する。